(57)【要約】【課題】ユニットルームの室内側から組立および解体ができる所謂「内組み」構造で、コーナー部分の壁パネルを支持する支柱の奥行き方向の厚みを削減して、同じ設置スペースでより広い室内空間を確保できる壁パネルのコーナー部における接続構造を提供する。【解決手段】床面に立設され、隣接する２枚の壁パネルの裏面側端縁のそれぞれを受け止める２つの裏面受け止め緑を有し、該裏面受け止め縁の上記壁パネルに当接する面に少なくとも各１以上の突起が設けられた支柱と、立設時において、左右側端縁の上記突起に対向する位置に、該突起に嵌合する凹窩を有する壁パネルとから構成され、上記壁パネルの左右の凹窩が、隣接する２本の支柱の上記突起に外嵌掛止されて立設保持される。【選択図】  図７
2006183440.tif 000002
【特許請求の範囲】
【請求項１】
床面に立設され、隣接する２枚の壁パネルの裏面側端縁のそれぞれを受け止める２つの裏面受け止め緑を有し、該裏面受け止め縁の上記壁パネルに当接する面に少なくとも各１以上の突起が設けられた支柱と、
立設時において、左右側端縁の上記突起に対向する位置に、該突起に嵌合する凹窩を有する壁パネルと、
から構成され、上記壁パネルの左右の凹窩が、隣接する２本の支柱の上記突起に外嵌掛止されて立設保持されることを特徴とする壁パネル接続構造。
【請求項２】
床面に立設され、隣接直交する２枚の壁パネルの裏面側端縁のそれぞれを受け止める２つの裏面受け止め緑を有し、該裏面受け止め縁の上記壁パネルに当接する面に少なくとも各１以上の突起が設けられたコーナー支柱と、
立設時において、左右側端縁の上記突起に対向する位置に、該突起に嵌合する凹窩を有する壁パネルと、
から構成され、上記壁パネルの左右の凹窩が、隣接する２本のコーナー支柱の上記突起に外嵌掛止されて立設保持されることを特徴とする壁パネル接続構造。
【請求項３】
床面に立設され、隣接する２枚の壁パネルの裏面側端縁のそれぞれを受け止める２つの裏面受け止め緑を有し、該裏面受け止め縁の上記壁パネルに当接する面に少なくとも各１以上の突起が設けられた支柱と、
立設時において、左右側端縁の上記突起に対向する位置に、該突起に外嵌掛止される凹窩を有する壁パネルと、
を備えることを特徴とするユニットルーム。
【発明の詳細な説明】
【技術分野】
【０００１】
本発明は、浴室等のユニットルームを構成する壁パネルに係り、特に壁パネル接続構造に関する。また、本発明は、斯かる接続構造を用いたユニットルームに関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このパネル方式によるユニットルームの壁パネルは通常、それ自体で自立可能に立設された２本の支柱間に架設される。より具体的に言えば、図１０（ａ）（ｂ）に示すように、壁パネル１００の左右両端部は、Ｌ字状或いはカール状に折曲加工されており、この端部を、壁パネル１００裏面に当接する側が開口したチャンネル型材或いは折板で形成された支柱１０１のその開口に嵌挿掛止させて架設する。壁パネル１００が隣接直交するコーナー部分では、その後壁パネル間に生じた隙間に目地材１０２を圧入若しくは充填して壁パネル１００を固定する（例えば、特許文献１，２参照。）。
【０００４】
ところで、このコーナーにおける支柱は、それ自体で自立可能な強度を得ようとすると、奥行き寸法が大きくなりがちであり、その分壁パネルと背面の建築壁との間の距離も大きくなって、畢竟ユニットルームの室内空間が狭くなってしまう。
【０００５】
一方、壁パネルは、上述したように、その左右両端部が、支柱に掛止できるようＬ字状或いはカール状に折曲加工されるが、この加工は、単純な切断加工に比べて手間がかかるものである。また、この両端カール等の壁パネルは、出荷時にあらかじめ巾寸法が決まっており、またその巾バリエーションも生産性の関係である程度限られたものとなるので、組立現場の寸法に合わせて切断する等の加工を行えず、設置空間をフルに活用することができない。さらに、このように両端が決められているために、据付現場における横方向の位置合わせに精密さが要求され、施工性も劣る。
【０００６】
この点、大きめの壁パネルを組立現場に持ち込んで、その現場の設置空聞に合わせて壁パネルを切断して納める工法が採用できれば便宜である。
【０００７】
このような問題を生じない壁パネルの接続構造として、図１１に示すように、ユニットルームの床に立設された支柱１１３に、間隔をおいて直交する２つの壁パネル１１１，１１２を、裏面からねじ１１４等によって取り付けるものが知られている（例えば、特許文献３参照。）。
【０００８】
この支柱１１３は、壁パネル１１１，１１２の小口を受け止める面１１３ｂとこの面１１３ｂと直交し裏面端部を受け止める緑１１３ａとを持ち、これらはそれぞれ壁パネル１１１，１１２の小口及び裏面に当接される。そして、小口を受ける面１１３ｂ、１１３ｂの端部同士は、接続部１１３ｃにより接続され一体化されている。
【０００９】
この方法によれば、壁パネル１１１，１１２裏面へ突出する部材が、支柱１１３の厚みとねじ１１４の頭だけなので、壁パネル裏面のクリアランスを小さくすることが可能となり、したがって、この方法は、ユニットルーム用として与えられた面積をフルに活用することができる合理的なものと言える。
【００１０】
しかしながら、そもそもこの技術は、ユニットルームの室内側から組立および解体が出来る所謂「内組み工法」ではなく、周囲に作業空間を必要とし、四方を建築壁で囲まれた中で組み立てることが主流となっている現在では採用するを得ない。
【００１１】
上述したようなＬ字状或いはカール状に折曲加工することは、壁パネルの上下方向においても行われている。そして、壁下端に水密性が要求される場合、施工性が良く仕上げも組立者の技量により左右され難い乾式工法として、発泡パッキンが多く採用されるが、このとき、上下方向の位置出しは、壁パネルがその自重により下に載置された水密用の発泡パッキンを圧縮して沈下することに頼っている。ところが、断熱性や施工性に優れる軽量発泡材を使用した軽量な壁パネルだと、床と壁パネルとの間に挟入された発泡パッキンの反発で壁パネルが所定の位置よりも浮き上がってしまったり、パッキンの圧縮が不十分となったりして水密性が低下する等の問題が発生する虞がある。
【特許文献１】特開平６−１０８５６０号公報
【特許文献２】特開平１１−２２９５００号公報
【特許文献３】特開昭５８−２０４２４８号公報
【発明の開示】
【発明が解決しようとする課題】
【００１２】
本発明は、上述した事情を考慮してなされたもので、ユニットルームの室内側から組立および解体ができる所謂「内組み」構造で、壁パネルを支持する支柱の奥行き方向の厚みを小さくして、同じ設置スペースでより広い室内空間を確保できるユニットルームの壁パネル接続構造及びこの接続構造を用いたユニットルームを提供することを目的とするものである。
【００１３】
本発明の他の目的は、壁パネルの上下、左右の位置出し容易で、水密信頼性の高い壁パネル接続構造及びこの接続構造を用いたユニットルームを提供することにある。
【００１４】
本発明のさらに他の目的は、端部が切放し形状の単純な壁パネルでも確実に固定することができるユニットルームの壁パネル接続構造及びこの接続構造を用いたユニットルームを提供することにある。
【課題を解決するための手段】
【００１５】
本発明に係る接続構造は、上述した課題を解決するために、請求項１に記載したように、床面に立設され、隣接する２枚の壁パネルの裏面側端縁のそれぞれを受け止める２つの裏面受け止め緑を有し、該裏面受け止め縁の上記壁パネルに当接する面に少なくとも各１以上の突起が設けられた支柱と、立設時において、左右側端縁の上記突起に対向する位置に、該突起に嵌合する凹窩を有する壁パネルとから構成され、上記壁パネルの左右の凹窩が、隣接する２本の支柱の上記突起に外嵌掛止されて立設保持されるものである。
【００１６】
また、上述した課題を解決するために、請求項２に係る接続構造は、床面に立設され、隣接直交する２枚の壁パネルの裏面側端縁のそれぞれを受け止める２つの裏面受け止め緑を有し、該裏面受け止め縁の上記壁パネルに当接する面に少なくとも各１以上の突起が設けられたコーナー支柱と、立設時において、左右側端縁の上記突起に対向する位置に、該突起に嵌合する凹窩を有する壁パネルとから構成され、上記壁パネルの左右の凹窩が、隣接する２本のコーナー支柱の上記突起に外嵌掛止されて立設保持されるものである。
【００１７】
さらに、上述した課題を解決するために、請求項３に係るユニットルームは、床面に立設され、隣接する２枚の壁パネルの裏面側端縁のそれぞれを受け止める２つの裏面受け止め緑を有し、該裏面受け止め縁の上記壁パネルに当接する面に少なくとも各１以上の突起が設けられた支柱と、立設時において、左右側端縁の上記突起に対向する位置に、該突起に外嵌掛止される凹窩を有する壁パネルとを備えるものである。
【発明の効果】
【００１８】
本発明に係るユニットルームの壁パネル接続構造によれば、ユニットルームの室内側から組立および解体ができる所謂「内組み」構造で、壁パネルを支持する支柱の奥行き方向の厚みを小さくして、同じ設置スペースでより広い室内空間を確保することができる。
【００１９】
また、本発明は、壁パネルの上下、左右の位置出し容易で、水密信頼性の高い壁パネルの接続構造が得られる効果がある。
【００２０】
さらに、本発明は、端部が切放し形状の単純な壁パネルでも確実に固定することができる効果が得られる。
【発明を実施するための最良の形態】
【００２１】
本発明に係る壁パネル接続構造及びユニットルームの実施の形態について、添付図面を参照して説明する。図１は、本発明に係る壁パネル接続構造を有するユニットルーム１の全体的な概要を示すものである。本実施形態に示されたユニットルーム１は、床２と、壁３と、コーナー支柱３０と図示しない天井パネル及び出入り口とを備え、一定の広さを有する空間を形成する。
【００２２】
床２は、建築床或いは防水パンで構成され、床２の四周には、壁３を構成する壁パネル１０を載置可能な壁パネル載置部２ａが形成される。
【００２３】
コーナー支柱３０は、この床の四隅に立設され、壁パネル１０，１０Ａの荷重を支持するとともに、壁パネルの表面相互間で出入りが生じないように立設状態に保持するものである。このコーナー支柱３０は、室内側に位置するコーナー目地２０と協働して壁パネル１０，１０Ａを挟持する。
【００２４】
コーナー目地２０は、図２に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００２５】
軟質部２０ｂは、例えばオレフィン系エラストマーからなる柔軟な部材で、コーナー目地２０が壁パネル１０に押圧されると変形して壁パネル１０に圧着され、水密性を高める。
【００２６】
支持部２０ｃは、例えばステンレス鋼板を２つに折曲して断面が略Ｙ字状の棒体に形成される。支持部２０ｃには、一定の間隔で係入片２０ｄが複数突設される。この係入片２０ｄが、コーナー支柱３０に穿設された、後述するスリット３０ｄに係入されることにより、壁パネル１０がコーナー目地２０及びコーナー支柱３０に挟持される。
【００２７】
コーナー支柱３０は、図３（ａ）に示すように、細長い、例えば亜鉛メッキ鋼板等を折曲加工したもので、その短手方向断面は、図３（ｃ）に示すように、中央のコーナー目地掛合部３０ａと、このコーナー目地掛合部３０ａの両側端で４５度の角度で折曲された壁パネル受け部３０ｂ，３０ｂとからなる。そして、コーナー目地掛合部３０ａから壁パネル受け部３０ｂへ折曲された部分のコーナー目地掛合部３０ａ側では、材料がさらに折曲されて小さな溝部３０ｆが形成される。
【００２８】
コーナー目地掛合部３０ａには、所定の間隔で、コーナー目地２０の係入片２０ｄが係入される複数のスリット３０ｄが穿設されている。一方、壁パネル受け部３０ｂには、図３（ｂ）に示すように、上段及び下段の壁パネルに設けられた後述する凹窩１２ａが対向する位置に、この凹窩１２ａに嵌挿される突起３０ｄが突設される。本実施形態に係るコーナー支柱では、この凸起３０ｄは、円筒状の小片が溶接等により取設される。また、コーナー目地掛合部３０ａの下端近傍には、コーナー支柱３０を、アングルピース等を介して床２の壁パネル載置部２ａに立設するためのボルト孔３０ｅが穿設される。
【００２９】
壁３は、壁パネル載置部２ａ上に立設された下段の壁パネル１０と、その上に載置された上段の壁パネル１０Ａとから構成される。壁パネル１０，１０Ａは、さねはぎ（一方を凸，他方を凹に彫って合わせる板の接合方法）に接合されて、床２の外縁に設けられた壁パネル載置部２ａ上に載置され、立設されたコーナー支柱３０，３０間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００３０】
例えば、ユニットルームの一形態であるユニットバスでは、その大きさが長さ１６００×幅１６００×高さ２０００ｍｍ程度が主流である。この場合、従来の縦張り型壁パネルでは、１枚のパネルの長さ（高さ）は、２０００ｍｍ前後となる。ところが、本発明に係る横積み構造の壁パネルでは、その長さが１６００ｍｍ前後となるので、運搬時や組立時においての振り回しが容易になる。
【００３１】
ユニットルーム１の壁３を構成する壁パネルのうち下段に設置される壁パネル１０は、図４に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、また、重量も軽く、運搬上及び組立上取り扱い易いものとなっている。そして、安価に製造することができる。
【００３２】
表面材１１の上側端は、図４（ｃ）に示すように、背面側に折曲されて、さねはぎ接合に供される凸条１４が形成される。この凸条１４は、室内側底部１４ａと室外側底部１４ｃとの中央に、頂部１４ｂが立設される。
【００３３】
これに対し、表面材１１の下側端は、図４（ｄ）に示すように、背面側に折曲されて凹条１５が形成される。この凹溝１５は、壁パネル１０の厚さ方向中央に位置する底部１４ｂを挟んで、室内側頂部１５ａと室外側頂部１５ｃとが立設される。
【００３４】
一方、壁パネル１０の両側端は、図４（ｅ）に示すように、芯材１２に表面材１１と裏面材１３とが貼着された後単純に切断されたままとなっている。このように、両側端は切断後何ら加工を必要としないので、押出製法等により連続して生産することが可能となり、生産コストを低減することができる。
【００３５】
また、壁パネル１０の背面には、上方の両端近傍に図４（ｃ）に示す凹窩１２ａが凹設される。壁パネル１０は、この凹窩１２ａが、支柱４に突設された突起３０ｄに掛止されて立設される。
【００３６】
ユニットルーム１の壁３を構成する壁パネルのうち上段に設置される壁パネル１０Ａは、基本的には壁パネル１０と同様の構成であるが、その上側端が単純に背面側に折曲されている点で壁パネル１０と相違する（図６参照）。
【００３７】
本実施の形態に係るユニットルーム１は上記のように構成されており、以下その壁パネルの取付順序について、図５に示すフローチャートを参照して説明する。
【００３８】
まず、建築床或いは防水パン等の床２上に、コーナー支柱３０を立設する（ステップＳ１）。この立設は、例えば、床２上にアングルピースを固定し、このアングルピースに穿設されたボルト孔と、コーナー支柱材３０のボルト孔３０ｅとにボルトを連通螺挿して行う。
【００３９】
次に、下段の壁パネル１０の凹窩１２ａを、立設されたコーナー支柱３０の突起３０ｄに外嵌させて、壁パネル１０を立設する（ステップＳ２）。このユニットルームが水密性を要求されるものであれば、図６（ｂ）に示すように、壁パネル載置部２ａ上に水密材５０を敷設してから壁パネル１０を載置する。このとき、壁パネル１０は、コーナー支柱３０により保持されているので、折曲された表面材１１の下端に自重が完全にかかることはなく、表面材１１が変形する虞がない。
【００４０】
そして、上段の壁パネル１０Ａ下端の凹溝１５を、下段の壁パネル１０上端の凸条１４に嵌合させてさねはぎ接合させた後、上段の壁パネル１０Ａの係止孔１２ａを、立設されたコーナー支柱３０の突起３０ｄに外嵌させて、壁パネル１０Ａを立設する（ステップＳ３）。このように、凹窩１２ａを突起３０ｄに外嵌させるだけで位置決めができるので、作業員が一人でも容易に壁パネルを組み立てることができる。
【００４１】
続いて、図７に示すように、コーナー目地２０の係入片２０ｄを、コーナー支柱３０のスリット３０ｃに係入させて、コーナー目地２０を取り付ける（ステップＳ４）。これにより、図８に示すように、壁パネル１０，１０Ａは、コーナー支柱３０とコーナー目地２０とに挟持され、壁パネル１０，１０Ａの凹窩１２ａがコーナー支柱３０の突起３０ｄから脱落することなく、堅固に固定される。
【００４２】
このように壁パネル１０，１０Ａが固定されると、その両側端は、コーナー目地２０の目地本体２０ａ及びコーナー支柱３０により掩蔽されるので、その切断面が見えることはなく、特別な保護も必要としない。これにより、端部が切放し形状の単純な壁パネルを採用することが可能となり、生産コストが抑えられるとともに、取付作業も用意となる。
【００４３】
また、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じないので、意匠性が低下することもない。
【００４４】
このように、壁パネル１０，１０Ａの取付には、ビス止めやボルト締め等の工程がないので工数が減少し、工期の短縮、延いてはコストの低減が可能となる。また、コーナー目地２０の係入片２０ｄをコーナー支柱３０の突起３０ｄに係入させるだけで壁パネルを固定できるので、作業員が一人でも容易に壁パネルを組み立てることができる。
【００４５】
こうして立設された壁３上に天井パネル４０を載置すれば（ステップＳ５）、ユニットルームの外枠が完成する。天井パネル４０の取付は、例えば図６（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００４６】
続いて、本実施形態に係るコーナー支柱の変形例を図９に示す。図９（ａ）に示すコーナー支柱３０では、突起３０ｄ１は、壁パネル受け部３０ｂの一部を切起して形成される。また、図９（ｂ）に示すコーナー支柱３０では、突起３０ｄ２は、プレス加工により壁パネル受け部３０ｂの一部を突出させて形成される。突起３０ｄがこのように形成された場合、壁パネル１０の凹窩１２ａも、これらに係合する形状に凹設される。
【００４７】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４８】
例えば、本実施形態では、コーナー支柱を例に採って説明したが、本発明はこれに限られず、壁面中間部分に立設される中間支柱についても、壁パネルを掛止可能な突起を設けることもできる。
【００４９】
また、本実施形態においては、横積み構造のものを例に採って説明したが、本発明はこれに限られず、縦張り型の壁パネルにおいても、壁面中間に中間支柱を設ける必要が生じるにしても、採用することが可能である。
【００５０】
また、ユニットルームも、ユニットバスルーム、ユニットシャワールーム、ユニットトイレルーム等に限られず、物置やトランクルーム等であってもよい。
【図面の簡単な説明】
【００５１】
【図１】本発明に係る壁パネル及びその接続構造を備えるユニットルームの全体概要を示す図。
【図２】コーナー目地の詳細図で、（ａ）は側面図、（ｂ）は（ａ）中のＡ−Ａ矢視図。
【図３】コーナー支柱の詳細図で、（ａ）は正面図、（ｂ）は（ａ）中のＢ−Ｂ矢視図、（ｃ）は同Ｃ−Ｃ矢視図、（ｄ）は同Ｄ部拡大図。
【図４】壁パネルの詳細図で、（ａ）は正面図、（ｂ）は側面図、（ｃ）は（ａ）中のＥ−Ｅ矢視図，（ｄ）は同Ｆ−Ｆ矢視図、（ｅ）は同Ｈ−Ｈ矢視図。
【図５】本実施形態に係るユニットルームの壁パネル組立順序を示すフローチャート。
【図６】図１に示された壁パネルの取付を説明する図であり、（ａ）は組立前の、（ｂ）は組立後の縦断面図。
【図７】コーナー支柱にコーナー目地を取り付ける様子を説明する分解図。
【図８】壁パネルの取付状態を示す横断面図。
【図９】コーナー支柱の変形例を示す断面図。
【図１０】従来のコーナー支柱及びこのコーナー支柱を用いた壁パネル接続構造の一例を示す図。
【図１１】従来のコーナー支柱及びこのコーナー支柱を用いた壁パネル接続構造の他の例を示す図。
【符号の説明】
【００５２】
１  ユニットルーム
２  床
２ａ  壁パネル載置部
３  壁
１０，１０Ａ  壁パネル
１１  表面材
１１ａ  被覆意匠層
１１ｂ  鋼板層
１１ｃ  接着層
１２  芯材
１２ａ  凹窩
１３  裏面材
１４  凸条
１４ａ  室内側底部
１４ｂ  頂部
１４ｃ  室外側底部
１５  凹溝
１５ａ  室内側頂部
１５ｂ  底部
１５ｃ  室外側頂部
１６，５０  水密材
２０  コーナー目地
２０ａ  目地本体
２０ｂ  軟質部
２０ｃ  支持部
２０ｄ  係入片
３０  コーナー支柱
３０ａ  コーナー目地掛合部
３０ｂ  壁パネル受け部
３０ｃ  スリット
３０ｄ  突起
３０ｅ  ボルト孔
３０ｆ  溝部
４０  天井パネル
４１  接続ピース
４１ａ，４１ｂ  嵌合凹部
【図１】
2006183440.tif 000003
【図２】
2006183440.tif 000004
【図３】
2006183440.tif 000005
【図４】
2006183440.tif 000006
【図５】
2006183440.tif 000007
【図６】
2006183440.tif 000008
【図７】
2006183440.tif 000009
【図８】
2006183440.tif 000010
【図９】
2006183440.tif 000011
【図１０】
2006183440.tif 000012
【図１１】
2006183440.tif 000013